【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
電子絶縁性を有し、電解液を保持するセパレータとこのセパレータを狭持する正極と負極から構成され、該正極および負極の電極の少なくとも一方は予めセパレータと接着されており、前記正極および負極とセパレータが接合部材をあいだに介して平板状に巻き取られるか、または楕円状に巻回されたのち、プレスして平板化される平板型電池であって、該平板型電池の中心部に位置する前記電極の端部から最初の折り曲げ部までの範囲および平板型電池の最内周の内側に接合部材が省かれている平板型電池。
【請求項２】
前記電池の中心部に位置する電極の端部から最初の折り曲げ部までの範囲および平板型電池の最内周の内側に活物質層が省かれている請求項１記載の平板型電池。
【請求項３】
前記電池の最外周の外側に活物質層が省かれている請求項１記載の平板型電池。
【請求項４】
前記電極のうち、少なくとも一方が、電池の中心部に位置する該電極の端部から最初の折り曲げ部までの長さが該電池の内周一周分の４分の１以内である請求項１記載の平板型電池。
【請求項５】
電子絶縁性を有し、電解液を保持するセパレータとこのセパレータを狭持する正極と負極から構成され、該正極および負極の電極の少なくとも一方は予めセパレータと接着されており、前記正極および負極とセパレータが接合部材をあいだに介して平板状に巻き取られるか、または楕円状に巻回されたのち、プレスして平板化される平板型電池の製法であって、
正極集電体の端部に正極集電端子を形成したのち、該正極集電端子の表面部および対向する裏面部に設ける活物質層の未塗工部を省いて正極活物質層を形成し、正極を作製する工程と、
負極集電体の端部に負極集電端子を形成したのち、該負極集電端子の表面部および対向する裏面部に設ける活物質層の未塗工部を省いて負極活物質層を形成し、負極を作製する工程と、
正極または負極にセパレータを接着する工程と、
対向する１対の巻芯で正極または負極の表面部および対向する裏面部における活物質層の未塗工部を挟んで巻芯を一回折り曲げる工程と、
巻芯に接触する表面部および対向する裏面部における活物質層の未塗工部には接合部材を塗布しないで、該接合部材を正極または負極の活物質層に塗布する工程と、
前記折り曲げられた電極のあいだに他の電極を挿入したのち、電池の最外周が正極または負極となるように巻き込んでいく工程
とを含む平板型電池の製法。
【請求項６】
電子絶縁性を有し、電解液を保持するセパレータとこのセパレータを狭持する正極と負極から構成され、該正極および負極の電極の少なくとも一方は予めセパレータと接着されており、前記正極および負極とセパレータが接合部材をあいだに介して平板状に巻き取られるか、または楕円状に巻回されたのち、プレスして平板化される平板型電池の製法であって、
正極集電体の端部に正極集電端子を形成したのち、該正極集電端子の表面部および対向する裏面部に設ける活物質層の未塗工部を省いて正極活物質層を形成し、正極を作製する工程と、
負極集電体の端部に負極集電端子を形成したのち、該負極集電端子の表面端部および対向する裏面端部、ならびに負極集電体の他端の表面端部および対向する裏面端部にそれぞれ設けられる活物質層の未塗工部を省いて負極活物質層を形成し、負極を作製する工程と、
正極または負極にセパレータを接着する工程と、
対向する１対の巻芯で負極集電体の他端の表面部および対向する裏面部における活物質層の未塗工部を挟んで巻芯を一回折り曲げる工程と、
巻芯に接触する表面部および対向する裏面部における活物質層の未塗工部には接合部材を塗布しないで、該接合部材を正極または負極の活物質層に塗布する工程と、
前記折り曲げられた負極のあいだに正極を挿入したのち、電池の最外周が正極または負極となるように巻き込んでいく工程
とを含む平板型電池の製法。
【請求項７】
電子絶縁性を有し、電解液を保持するセパレータとこのセパレータを狭持する正極と負極から構成され、該正極および負極の電極の少なくとも一方は予めセパレータと接着されており、前記正極および負極とセパレータが接合部材をあいだに介して平板状に巻き取られるか、または楕円状に巻回されたのち、プレスして平板化される平板型電池の製法であって、
正極集電体の端部に正極集電端子を形成したのち、該正極集電端子の表面部および対向する裏面部、ならびに正極集電体の他端部に設ける活物質層の未塗工部を省いて正極活物質層を形成し、正極を作製する工程と、
負極集電体の端部に負極集電端子を形成したのち、該負極集電端子の表面端部および対向する裏面端部、ならびに負極集電体の他端の表面端部および対向する裏面端部にそれぞれ設けられる活物質層の未塗工部を省いて負極活物質層を形成し、負極を作製する工程と、
正極または負極にセパレータを接着する工程と、
対向する１対の巻芯で負極集電端子の他端の表面部および対向する裏面部における活物質層の未塗工部を挟んで巻芯を一回折り曲げる工程と、
巻芯に接触する表面部および対向する裏面部における活物質層の未塗工部には接合部材を塗布しないで、該接合部材を正極または負極の活物質層に塗布する工程と、
前記折り曲げられた負極のあいだに正極を挿入したのち、電池の最外周が正極または負極となるように巻き込んでいく工程
とを含む平板型電池の製法。
【請求項８】
前記正極および負極を作製する工程において、前記電池の中心部に位置する電極の端部から最初の折り曲げ部までの範囲および平板型電池の最内周の内側となる部分には活物質層を省く工程を含む請求項５、６または７記載の平板型電池の製法。
【請求項９】
前記正極または負極を作製する工程において、前記電池の最外層となる電極の最外周の外側には活物質層を省く工程を含む請求項５、６または７記載の平板型電池の製法。
【請求項１０】
前記巻芯を一回折り曲げる工程において、前記電極のうち少なくとも一方が、電池の中心部に位置する電極の端部から最初の折り曲げ部までの長さが該電池の内周一周分の４分の１以内にする工程を含む請求項５、６または７記載の平板型電池の製法。
【手続補正２】
【補正対象書類名】明細書
【補正対象項目名】０００８
【補正方法】変更
【補正の内容】
【０００８】
【課題を解決するための手段】
請求項１の平板型電池は、電子絶縁性を有し、電解液を保持するセパレータとこのセパレータを狭持する正極と負極から構成され、該正極および負極の電極の少なくとも一方は予めセパレータと接着されており、前記正極および負極とセパレータが接合部材をあいだに介して平板状に巻き取られるか、または楕円状に巻回されたのち、プレスして平板化される平板型電池であって、該平板型電池の中心部に位置する前記電極の端部から最初の折り曲げ部までの範囲および平板型電池の最内周の内側に接合部材が省かれていることを特徴とする。
【手続補正３】
【補正対象書類名】明細書
【補正対象項目名】００１３
【補正方法】変更
【補正の内容】
【００１３】
さらに請求項５の平板型電池の製法は、電子絶縁性を有し、電解液を保持するセパレータとこのセパレータを狭持する正極と負極から構成され、該正極および負極の電極の少なくとも一方は予めセパレータと接着されており、前記正極および負極とセパレータが接合部材をあいだに介して平板状に巻き取られるか、または楕円状に巻回されたのち、プレスして平板化される平板型電池の製法であって、
正極集電体の端部に正極集電端子を形成したのち、該正極集電端子の表面部および対向する裏面部に設ける活物質層の未塗工部を省いて正極活物質層を形成し、正極を作製する工程と、負極集電体の端部に負極集電端子を形成したのち、該負極集電端子の表面部および対向する裏面部に設ける活物質層の未塗工部を省いて負極活物質層を形成し、負極を作製する工程と、正極または負極にセパレータを接着する工程と、対向する１対の巻芯で正極または負極の表面部および対向する裏面部における活物質層の未塗工部を挟んで巻芯を一回折り曲げる工程と、巻芯に接触する表面部および対向する裏面部における活物質層の未塗工部には接合部材を塗布しないで、該接合部材を正極または負極の活物質層に塗布する工程と、前記折り曲げられた電極のあいだに他の電極を挿入したのち、電池の最外周が正極または負極となるように巻き込んでいく工程とを含んでいる。
【手続補正４】
【補正対象書類名】明細書
【補正対象項目名】００１４
【補正方法】変更
【補正の内容】
【００１４】
請求項６の平板型電池の製法は、電子絶縁性を有し、電解液を保持するセパレータとこのセパレータを狭持する正極と負極から構成され、該正極および負極の電極の少なくとも一方は予めセパレータと接着されており、前記正極および負極とセパレータが接合部材をあいだに介して平板状に巻き取られるか、または楕円状に巻回されたのち、プレスして平板化される平板型電池の製法であって、正極集電体の端部に正極集電端子を形成したのち、該正極集電端子の表面部および対向する裏面部に設ける活物質層の未塗工部を省いて正極活物質層を形成し、正極を作製する工程と、負極集電体の端部に負極集電端子を形成したのち、該負極集電端子の表面端部および対向する裏面端部、ならびに負極集電体の他端の表面端部および対向する裏面端部にそれぞれ設けられる活物質層の未塗工部を省いて負極活物質層を形成し、負極を作製する工程と、正極または負極にセパレータを接着する工程と、対向する１対の巻芯で負極集電端子の他端の表面部および対向する裏面部における活物質層の未塗工部を挟んで巻芯を一回折り曲げる工程と、巻芯に接触する表面部および対向する裏面部における活物質層の未塗工部には接合部材を塗布しないで、該接合部材を正極または負極の活物質層に塗布する工程と、前記折り曲げられた負極のあいだに正極を挿入したのち、電池の最外周が正極または負極となるように巻き込んでいく工程とを含むことを特徴とする。
【手続補正５】
【補正対象書類名】明細書
【補正対象項目名】００１５
【補正方法】変更
【補正の内容】
【００１５】
また、請求項７の平板型電池の製法は、電子絶縁性を有し、電解液を保持するセパレータとこのセパレータを狭持する正極と負極から構成され、該正極および負極の電極の少なくとも一方は予めセパレータと接着されており、前記正極および負極とセパレータが接合部材をあいだに介して平板状に巻き取られるか、または楕円状に巻回されたのち、プレスして平板化される平板型電池の製法であって、正極集電体の端部に正極集電端子を形成したのち、該正極集電端子の表面部および対向する裏面部、ならびに正極集電体の他端部に設ける活物質層の未塗工部を省いて正極活物質層を形成し、正極を作製する工程と、負極集電体の端部に負極集電端子を形成したのち、該負極集電端子の表面端部および対向する裏面端部、ならびに負極集電体の他端の表面端部および対向する裏面端部にそれぞれ設けられる活物質層の未塗工部を省いて負極活物質層を形成し、負極を作製する工程と、正極または負極にセパレータを接着する工程と、対向する１対の巻芯で負極集電端子の他端の表面部および対向する裏面部における活物質層の未塗工部を挟んで巻芯を一回折り曲げる工程と、巻芯に接触する表面部および対向する裏面部における活物質層の未塗工部には接合部材を塗布しないで、該接合部材を正極または負極の活物質層に塗布する工程と、前記折り曲げられた負極のあいだに正極を挿入したのち、電池の最外周が正極または負極となるように巻き込んでいく工程とを含むことを特徴とする。